(57)【特許請求の範囲】
【請求項１】
透液性の表面シートと、不透液性の裏面シートと、前記表面シートと前記裏面シートとの間に介装される吸収体と、を有する物品本体部を備え、人体の腹側から股下を通って背側を覆うように配設されるインナーパッドにおいて、
前記物品本体部の長手方向両端部には、前記吸収体よりも長手方向に延出する腹側延出部及び背側延出部が備えられ、
前記腹側延出部の前端部及び前記背側延出部の後端部には、前記インナーパッドを人体に装着される装着物に装着する際に係止する係止部が備えられ、
前記腹側延出部及び前記背側延出部は、前記物品本体部の長手方向に沿う方向に伸縮可能に構成され、
前記係止部が配され、伸縮しない非伸縮領域である係止領域と、
前記係止領域の前記物品本体部側の端部と連続し、伸縮しない非伸縮領域の第１領域と、
前記第１領域の前記物品本体部側の端部と連続し、伸縮可能な伸縮領域の第２領域と、
を備えることを特徴とするインナーパッド。
【請求項２】
前記表面シート側における前記インナーパッドの幅方向両側部に、前記腹側延出部から前記背側延出部に亘って設けられる一対のギャザーシートを備え、
前記一対のギャザーシートには、前記インナーパッドの長手方向に沿うように弾性部材が配され、
前記腹側延出部及び前記背側延出部は、前記弾性部材によって前記物品本体部の長手方向に沿う方向に伸縮することを特徴とする請求項１に記載のインナーパッド。
【請求項３】
前記腹側延出部及び前記背側延出部には、複数箇所に切り込みが形成され、
前記腹側延出部及び前記背側延出部は、前記切り込みによって前記物品本体部の長手方向に沿う方向に伸縮することを特徴とする請求項１に記載のインナーパッド。
【請求項４】
前記切り込みは、前記短手方向に対して斜めに形成されていることを特徴とする請求項３に記載のインナーパッド。
【発明の詳細な説明】
【技術分野】
【０００１】
本発明は、インナーパッドに関する。
【背景技術】
【０００２】
従来、吸収性物品として、紙おむつのような人体に装着される装着物の内側に取付けて使用するインナーパッドが知られている。
このインナーパッドには、装着物に取り付けるのにメカニカルテープを備えたものと、接着層を備えたものとがある。このうち、メカニカルテープを用いたものは、接着層を備えたものより接着強度が高く、折れにくいが、例えばパンツ式紙おむつなどの装着物に装着する場合、装着物の胴周り部は縮こまっているため、適した取り付け位置ではなくこの胴周り部などに接着してしまい易く、装着ミスを起こしやすい。このため、インナーパッドの装着時や交換時には、メカニカルテープを適した位置に取り付け直すなどの手間がかかるものであった。
【０００３】
そこで、例えば、特許文献１には、おむつ本体内部に装着する吸収体の交換を容易にし、且つ吸収体が股間にフィットさせることが可能なおむつが提案されている。
具体的に、特許文献１のおむつは、おむつ本体の前身頃及び後身頃に設けられた一対の第１連結片と、吸収体の長手方向両端側に設けられた一対の第２連結片とからなる連結部を備え、第２連結片を第１連結片に係合することで吸収体がおむつ本体に設置される。また、連結部は伸縮性を有し、連結部が伸びた状態で着用者に装着されることにより、吸収体を着用者の股間に付勢させるようになっている。
【先行技術文献】
【特許文献】
【０００４】
【特許文献１】特開２００５−１３７５８７号公報
【発明の概要】
【発明が解決しようとする課題】
【０００５】
しかしながら、特許文献１のおむつは、おむつ本体と吸収体との両方に連結片を設ける必要があり、構成が複雑なものであった。
本発明の課題は、簡単な構成でありながら装着が容易であって、且つ人体へのフィット感を維持することができるインナーパッドを提供することである。
【課題を解決するための手段】
【０００６】
上記課題を解決するために、請求項１に記載の発明は、
透液性の表面シートと、不透液性の裏面シートと、前記表面シートと前記裏面シートとの間に介装される吸収体と、を有する物品本体部を備え、人体の腹側から股下を通って背側を覆うように配設されるインナーパッドにおいて、
前記物品本体部の長手方向両端部には、前記吸収体よりも長手方向に延出する腹側延出部及び背側延出部が備えられ、
前記腹側延出部の前端部及び前記背側延出部の後端部には、前記インナーパッドを人体に装着される装着物に装着する際に係止する係止部が備えられ、
前記腹側延出部及び前記背側延出部は、前記物品本体部の長手方向に沿う方向に伸縮可能に構成され、
前記係止部が配され、伸縮しない非伸縮領域である係止領域と、
前記係止領域の前記物品本体部側の端部と連続し、伸縮しない非伸縮領域の第１領域と、
前記第１領域の前記物品本体部側の端部と連続し、伸縮可能な伸縮領域の第２領域と、
を備えることを特徴とする。
【０００７】
また、請求項２に記載の発明は、請求項１に記載のインナーパッドにおいて、
前記表面シート側における前記インナーパッドの幅方向両側部に、前記腹側延出部から前記背側延出部に亘って設けられる一対のギャザーシートを備え、
前記一対のギャザーシートには、前記インナーパッドの長手方向に沿うように弾性部材が配され、
前記腹側延出部及び前記背側延出部は、前記弾性部材によって前記物品本体部の長手方向に沿う方向に伸縮することを特徴とする。
【０００８】
また、請求項３に記載の発明は、請求項１に記載のインナーパッドにおいて、
前記腹側延出部及び前記背側延出部には、複数箇所に切り込みが形成され、
前記腹側延出部及び前記背側延出部は、前記切り込みによって前記物品本体部の長手方向に沿う方向に伸縮することを特徴とする。
【０００９】
また、請求項４に記載の発明は、請求項３に記載のインナーパッドにおいて、
前記切り込みは、前記短手方向に対して斜めに形成されていることを特徴とする。
【発明の効果】
【００１２】
本発明によれば、腹側延出部及び背側延出部は、物品本体部の長手方向に沿う方向に伸縮可能に構成されているため、腹側延出部及び背側延出部の係止部を所定の位置に係止するだけでインナーパッドの物品本体部が好適な位置に配されることとなり、係止部が所望としない位置などに誤って貼り付くなどの装着ミスが生じることがなく、インナーパッドの装着や交換を容易に行うことができる。
また、腹側延出部及び背側延出部は、物品本体部に掛かる尿などによる加重や人体の動きに応じて伸縮するので、人体へのフィット感を維持することができる。
また、インナーパッドは、物品本体部の長手方向両端部に、吸収体よりも長手方向に延出し伸縮可能な腹側延出部及び背側延出部を備えたのみであるので、簡単な構成である。
よって、簡単な構成でありながら、装着が容易であって、且つ人体へのフィット感を維持することができるインナーパッドとすることができる。
【図面の簡単な説明】
【００１３】
【図１】本発明における吸収性物品を示す斜視図である。
【図２】図１の吸収性物品を示す平面展開図である。
【図３】図１のIII-III線における断面模式図である。
【図４】図１のIV-IV線における断面模式図である。
【図５】図１の吸収性物品を紙おむつに装着した状態を説明するための図である。
【図６】図５のVI-VI線における断面模式図である。
【図７】第２実施形態の吸収性物品を示す平面展開図である。
【図８】図７の変形例を示す平面展開図である。
【図９】第３実施形態の吸収性物品を示す平面展開図である。
【図１０】第４実施形態の吸収性物品を示す平面展開図である。
【図１１】図１０の吸収性物品の装着時の状態を説明するための図である。
【図１２】本発明における吸収性物品の変形例を示す断面模式図である。
【発明を実施するための形態】
【００１４】
以下、図を参照して、本発明の実施の形態を詳細に説明する。ただし、発明の範囲は、図示例に限定されない。
【００１５】
［第１実施形態］
まず、第１実施形態における吸収性物品について説明する。
吸収性物品は、例えば、夜用又は長時間用の尿などを吸収するインナーパッドであり、おむつやおむつカバー、パンツなどの人体に装着される装着物に着脱・交換可能に取り付けられて使用される。
以下の説明においては、吸収性物品として、パンツ型の使い捨て紙おむつ（装着物）の内側に装着されるインナーパッドを例示して説明する。
また、以下の説明では、吸収性物品を展開した状態において、装着時に着用者（人体）の腹側に位置する側を前側、背側に位置する側を後側、着用者と接触する側を上側、着用者と接触する側の反対側を下側とし、前後方向と上下方向との双方に直交する方向を左右方向とする。
【００１６】
＜インナーパッドの構成＞
インナーパッド１は、人体の股部を腹側から背側にかけて覆うように、一方の端部に腹側部１４が形成され、他方の端部に背側部１５が形成されている。また、腹側部１４と背側部１５との間が股下部１６となっており、股下部１６の両縁部は、装着された際に装着者の脚の周りを囲む脚周り部１７となっている。
【００１７】
インナーパッド１は、例えば、図１〜図４に示すように、上側に設けられる透液性の表面シート１１と、下側に設けられる不透液性の裏面シート１２と、表面シート１１と裏面シート１２との間に介装される吸収体１３と、を有する物品本体部１０と、表面シート１１側の吸収体１３の幅方向両側部（左側部及び右側部）に、インナーパッド１の長手方向（前後方向）に沿って備えられたギャザーシート２０，２０と、物品本体部１０の前端部から、吸収体１３よりも長手方向（前方向）に延出する腹側延出部３０と、物品本体部１０の後端部から、吸収体１３よりも長手方向（後ろ方向）に延出する背側延出部４０と、などを備えて構成される。
【００１８】
表面シート１１は、インナーパッド１を装着した際に着用者に接する面を形成し、吸収体１３の上側に設けられ、体液を受けて、吸収体１３まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法、或いはこれらを組み合わせた方法等の適宜の加工法によって加工したものを用い得る。
【００１９】
裏面シート１２は、吸収体１３の下側に設けられ、体液等のインナーパッド１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート１２は、不透液性のシートであれば、不透湿性であっても良い。
【００２０】
表面シート１１は、例えば、吸収体１３の表面（肌当接面側）を覆って、吸収体１３上面の長手両側部において内側に折り返されている。
裏面シート１２は、例えば、吸収体１３の底面を覆い、さらに吸収体１３の側面を覆って、吸収体１３上面の長手両側部において表面シート１１側（内側）に折り返されている。
表面シート１１の内側に折り返された部分と、裏面シート１２の内側に折り返された部分とは、例えば、ホットメルト接着剤等によって互いに接着されている。
【００２１】
吸収体１３は、腹側部１４から股下部１６を通り背側部１５に亘る位置に配置される。
この吸収体１３は、インナーパッド１の使用時に体液としての尿等の水様成分を吸収する役割を果たすものであり、例えば、綿やパルプなどの吸収性素材、高吸水性樹脂（ＳＡＰ；Super Absorbent Polymer）、繊維やフィルムなどのシート状基材等を組み合わせて形成されている。
【００２２】
ギャザーシート２０，２０は、例えば、物品本体部１０に排泄された排泄物が横もれするのを防止するためのものである。
ギャザーシート２０，２０は、表面シート１１の上面側において、吸収体１３の長手方向（前後方向）に沿った両側縁部に、腹側部１４から背側部１５に亘ってそれぞれ備えられている。
ギャザーシート２０，２０の幅方向（左右方向）外側の部分は、裏面シート１２の内側に折り返された部分における表面シート１１側とは反対側の面に貼り付けられて固定された固定端となっている。また、ギャザーシート２０，２０の幅方向内側の部分は自由端となっており、その長手方向に沿って複数の糸ゴム等の弾性部材２１…が略平行に備えられて、断面略く字状及び逆く字状に立ち上がって着用者の体型に合わせて伸縮自在に変形可能な立体ギャザーが形成されている。
【００２３】
ギャザーシート２０は、例えば、液が透過しにくい不織布、液が透過しにくいプラスチックシート、或いはこれらの複合体等により形成されている。
液が透過しにくい不織布としては、例えば、スパンボンド不織布、スパンボンド不織布−メルトブローン不織布−スパンボンド不織布、スパンボンド不織布−メルトブローン不織布−メルトブローン不織布−スパンボンド不織布、ヒートロール不織布、不透液性不織布、エアースルー不織布等が挙げられる。
【００２４】
腹側延出部３０は、２枚の不織布３１ａ，３１ｂを貼着することにより形成されている。
不織布３１ａ，３１ｂを構成する素材繊維としては、例えば、ポリエチレンやポリプロピレンなどのオレフィン系、ポリエステル系、ポリアミド系等の合成繊維の他、レーヨンやキュプラなどの再生繊維、綿などの天然繊維等を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等が挙げられる。
２枚の不織布３１ａ，３１ｂの間には、その長手方向（前後方向）に沿って複数の糸ゴム等の伸縮部材３２…が略平行に配されており、伸縮部材３２を備えることによって、腹側延出部３０は、前後方向に伸縮可能となっている。
伸縮部材３２は、例えば、１．０〜２．０ｋｇｆの力で１００％伸長できる伸縮力を有するものを用いるのが好ましい。１．０ｋｇｆより小さいとずれやすく、２．０ｋｇｆより大きいと伸びにくいためである。
【００２５】
腹側延出部３０の下面の前端部には、面ファスナのオス材の係止要素であるファスニングテープ（係止部）３３が備えられており、このファスニングテープ３３により、インナーパッド１を着用者が装着する紙おむつ１００（後述）の腹側に止着することができるようになっている。
【００２６】
腹側延出部３０においてファスニングテープ３３を設ける領域（係止領域Ｋ）には伸縮部材３２が配されず、伸縮しない非伸縮領域となっており、このため装着した際にインナーパッド１のファスニングテープ３３が縮こまることのないようになっている。また、係止領域Ｋを非伸縮領域とすることで、この係止領域Ｋはこしを持つため、ファスニングテープ３３を係止領域Ｋに接着しやすくすることができる。
また、腹側延出部３０の後端部においては、２枚の不織布３１ａ，３１ｂにより物品本体部１０の前端部を狭持して固着している。
【００２７】
背側延出部４０は、２枚の不織布４１ａ，４１ｂを貼着することにより形成されている。
不織布４１ａ，４１ｂを構成する素材繊維としては、例えば、ポリエチレンやポリプロピレンなどのオレフィン系、ポリエステル系、ポリアミド系等の合成繊維の他、レーヨンやキュプラなどの再生繊維、綿などの天然繊維等を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等が挙げられる。
２枚の不織布４１ａ，４１ｂの間には、その長手方向（前後方向）に沿って複数の糸ゴム等の伸縮部材４２…が略平行に配されており、伸縮部材４２を備えることによって、背側延出部４０は、前後方向に伸縮可能となっている。
伸縮部材４２は、例えば、１．０〜２．０ｋｇｆの力で１００％伸長できる伸縮力を有するものを用いるのが好ましい。１．０ｋｇｆより小さいとずれやすく、２．０ｋｇｆより大きいと伸びにくいためである。
【００２８】
また、背側延出部４０の後ろ端部の下面には、面ファスナのオス材の係止要素であるファスニングテープ（係止部）４３が備えられており、このファスニングテープ４３により、インナーパッド１を着用者が装着する紙おむつ１００の背側に止着することができるようになっている。
【００２９】
背側延出部４０においてファスニングテープ４３を設ける領域（係止領域Ｋ）には伸縮部材４２が配されず、伸縮しない非伸縮領域となっており、このため装着した際にインナーパッド１のファスニングテープ４３が縮こまることのないようになっている。また、係止領域Ｋを非伸縮領域とすることで、この係止領域Ｋはこしを持つため、ファスニングテープ４３を係止領域Ｋに接着しやすくすることができる。
また、背側延出部４０の後端部においては、２枚の不織布４１ａ，４１ｂにより物品本体部１０の前端部を狭持して固着している。
【００３０】
＜紙おむつの構成＞
ここで、インナーパッド１を装着する装着物であるパンツ型の使い捨て紙おむつ（以下、紙おむつという）１００の構成について説明する。
紙おむつ１００は、例えば、図５に示すように、装着時に人体の股部を腹側から背側にかけて覆うように形成されており、一方の端部が人体の腹側に位置する腹側部Ｆを形成し、他方の端部が人体の背側に位置する背側部Ｂを形成し、腹側部Ｆと背側部Ｂとの間が人体の股下に位置する股下部Ｍを形成している。
紙おむつ１００は、腹側部Ｆの幅方向側の各端部Ｔ１，Ｔ１と背側部Ｂの幅方向側の各端部Ｔ２，Ｔ２がそれぞれ固着されて脇部を形成することで、パンツ型の形状に成形されるようになっている。
また、紙おむつ１００には、人体との接触面側に配される透液性のトップシート１００ａと、使用装着時に外部側に配される外装体１００ｂと、トップシート１００ａと外装体１００ｂとの間に介装される吸収性本体（図示省略）と、が備えられている。
【００３１】
そして、紙おむつ１００の腹側部Ｆには、インナーパッド１の腹側延出部３０のファスニングテープ３３が止着され、紙おむつ１００の背側部Ｂには、背側延出部４０のファスニングテープ４３が止着され、紙おむつ１００の股下部Ｍには、物品本体部１０における股下部１６が配置されることで、紙おむつ１にインナーパッド１が装着されることとなる。
なお、紙おむつ１００の腹側部Ｆ及び背側部Ｂに、ファスニングテープ３３、４３を貼り付けるための被止着部材を設けることとしても良い。また、この場合、ファスニングテープ３３、４３と被止着部材との寸法を合わせることが好ましい。また、紙おむつ１００と、インナーパッド１の前後方向の長さを揃えることも好ましい。
【００３２】
＜インナーパッドの装着方法＞
着用者が装着した紙おむつ１００に対してインナーパッド１を装着する場合には、まず、紙おむつ１００を着用者の膝下付近まで下ろす。
次に、インナーパッド１の腹側延出部３０のファスニングテープ３３を紙おむつ１００の腹側部Ｆの所定箇所に係止させ、インナーパッド１の背側延出部４０のファスニングテープ４３を紙おむつ１００の背側部Ｂの所定箇所に係止させる。
このとき、インナーパッド１の物品本体部１０を紙おむつ１の股下部Ｍにあてがうなどの作業なしに、腹側延出部３０のファスニングテープ３３及び背側延出部４０のファスニングテープ３３を紙おむつ１００の腹側部Ｆ及び背側部Ｂの所定箇所に係止させるだけでよい。
次に、紙おむつ１００を元の位置まで引き上げると、図６に示すように、腹側延出部３０及び背側延出部４０は着用者に胴周りに合わせて伸縮し、物品本体部１０が好適な位置に配置されることとなる。
【００３３】
従って、インナーパッド１の物品本体部１０を紙おむつ１の股下部Ｍにあてがうなどの作業が必要ないため、ファスニングテープ３３、４３が所望としない位置などに誤って貼り付くなどの装着ミスが生じることがない。また、物品本体部１０の股下部Ｍへの位置合わせやファスニングテープ３３、４３の貼り直しなどの手間がないため、インナーパッド１の装着や交換を簡単に行うことができる。また、ファスニングテープ３３、４３が紙おむつ１のトップシート１００ａに誤って貼り付くこともないため、紙おむつ１のトップシート１００ａを傷つけることも無い。
また、腹側延出部３０及び背側延出部４０は伸縮可能であるため、着用者が動いた場合には、腹側延出部３０及び背側延出部４０はその動きに追従して伸縮し、インナーパッド１が着用者に好適にフィットした状態が保たれる。
また、装着時にインナーパッド１に尿等により加重が掛かった場合にも、腹側延出部３０及び背側延出部４０は加重の大きさに応じて伸長し、インナーパッド１が着用者に好適にフィットした状態が保たれる。
【００３４】
以上のように、本実施形態のインナーパッド１によれば、物品本体部１０の長手方向両端部には、吸収体１３よりも長手方向に延出する腹側延出部３０及び背側延出部４０が備えられ、腹側延出部３０の前端部及び背側延出部４０の後端部には、インナーパッド１を紙おむつ１に装着する際に係止するファスニングテープ３３、４３が備えられ、腹側延出部３０及び背側延出部４０は、物品本体部１０の長手方向に沿う方向に伸縮可能に構成されている。
このため、腹側延出部３０及び背側延出部４０のファスニングテープ３３、４３を所定の位置に係止するだけでインナーパッド１の物品本体部１０が好適な位置に配されることとなり、ファスニングテープ３３、４３が所望としない位置などに誤って貼り付くなどの装着ミスが生じることがなく、インナーパッド１の装着や交換を容易に行うことができる。
また、腹側延出部３０及び背側延出部４０は、物品本体部１０に掛かる尿などによる加重や人体の動きに応じて伸縮するので、人体へのフィット感を維持することができる。
また、インナーパッド１は、物品本体部１０の長手方向両端部に、吸収体１３よりも長手方向に延出し伸縮可能な腹側延出部３０及び背側延出部４０を備えたのみであるので、簡単な構成である。
よって、簡単な構成でありながら、装着が容易であって、且つ人体へのフィット感を維持することができるインナーパッド１とすることができる。
【００３５】
また、本実施形態のインナーパッド１によれば、腹側延出部３０及び背側延出部４０における係止部（ファスニングテープ３３、４３）が配される領域は、伸縮しない非伸縮領域とされている。
このため、装着時に係止部が縮こまることがなく、インナーパッド１がよれるのを防止することができる。
【００３６】
なお、本実施形態においては、腹側延出部３０及び背側延出部４０は、伸縮部材３２、４２を備えることによって、物品本体部１０の長手方向に沿う方向に伸縮可能に構成されていることとして説明したが、腹側延出部３０及び背側延出部４０を構成する素材を伸縮性の高い不織布とすることで、物品本体部１０の長手方向に沿う方向に伸縮可能に構成することとしても良い。
【００３７】
また、本実施形態においては、伸縮部材３２、４２は、前後方向に略平行に備えられているが、例えば、短手方向（左右方向）に対して斜めに配することとしても良い。このようにすることで、腹側延出部３０及び背側延出部４０は、着用者が歩行などをした際の脚の開閉に追従しやすくすることができる。即ち、伸縮部材３２、４２が斜めに配されているために、腹側延出部３０及び背側延出部４０は、着用者の歩行によって斜め方向に力が掛かった場合に、よりフィットしやすくすることができる。
【００３８】
［第２実施形態］
次に、第２実施形態における吸収性物品について、第１実施の形態と異なる点を中心に説明する。なお、第１実施形態と同一部分には同一符号を付し、その説明は省略する。
【００３９】
本実施形態の吸収性物品２は、図７に示すように、物品本体部１０と、ギャザーシート２０，２０と、腹側延出部３０Ａと、背側延出部４０Ａと、を備えている。
腹側延出部３０Ａ及び背側延出部４０Ａには、複数箇所に左右方向に略平行な切り込み３４、４４・・・がそれぞれ形成されており、腹側延出部３０Ａ及び背側延出部４０Ａは、この切り込み３４、４４・・・によって前後方向に伸縮可能となっている。
このような構成により、吸収性物品２は、第１実施形態のインナーパッド１と同様の効果が得られるのは勿論のこと、伸縮部材を使用しないため低コストで腹側延出部３０Ａ及び背側延出部４０Ａが伸縮可能な構成とすることができる。
【００４０】
なお、図８に示す吸収性物品２Ａのように、切り込み３４、４４・・・は、短手方向（左右方向）に対して斜めに形成することとしても良い。切り込み３４、４４をこのように形成することで、腹側延出部３０Ａ及び背側延出部４０Ａは、着用者が歩行などをした際の脚の開閉に追従しやすくなっている。即ち、切り込み３４、４４・・・が斜めに形成されているために、腹側延出部３０Ａ及び背側延出部４０Ａは、着用者の歩行によって斜め方向に力が掛かった場合によりフィットしやすくなっている。
従って、装着時のよれを低減し、より好適に人体へのフィット感を維持することができる。
【００４１】
［第３実施形態］
次に、第３実施形態における吸収性物品について、第１実施の形態と異なる点を中心に説明する。なお、第１実施形態と同一部分には同一符号を付し、その説明は省略する。
【００４２】
本実施形態の吸収性物品３は、図９に示すように、物品本体部１０と、ギャザーシート５０，５０と、腹側延出部３０Ｂと、背側延出部４０Ｂと、などを備えている。
【００４３】
ギャザーシート５０，５０は、吸収性物品２の上面側において、吸収体１３の長手方向（前後方向）に沿った両側縁部に、腹側延出部３０Ｂの前端部から背側延出部４０Ｂの後端部に亘ってそれぞれ備えられている。
ギャザーシート５０，５０の幅方向（左右方向）外側の部分は固定端となっている。また、ギャザーシート５０，５０の幅方向内側の部分は自由端となっており、その長手方向に沿って複数の糸ゴム等の弾性部材５１…が略平行に備えられて、断面略く字状及び逆く字状に立ち上がって着用者の体型に合わせて伸縮自在に変形可能な立体ギャザーが形成されている。
そして、腹側延出部３０Ｂ及び背側延出部４０Ｂは、ギャザーシート５０，５０に備えられた弾性部材５１…によって前後方向に伸縮可能となっている。
【００４４】
このような構成により、吸収性物品３は、第１実施形態のインナーパッド１と同様の効果が得られるのは勿論のこと、ギャザーシート５０，５０が腹側延出部３０Ｂから背側延出部４０Ｂに亘って備えられているため、漏れ防止効果をより向上させることができる。
【００４５】
［第４実施形態］
次に、第４実施形態における吸収性物品について、第１実施の形態と異なる点を中心に説明する。なお、第１実施形態と同一部分には同一符号を付し、その説明は省略する。
【００４６】
本実施形態の吸収性物品４は、図１０に示すように、物品本体部１０と、ギャザーシート２０，２０と、腹側延出部３０Ｃと、背側延出部４０Ｃと、などを備えて構成される。
【００４７】
腹側延出部３０Ｃは、ファスニングテープ３３が備えられる係止領域Ｋ、係止領域Ｋの物品本体部１０側の端部と連続し、伸縮しない非伸縮領域の第１領域Ｓ１、及び第１領域Ｓ１の物品本体部１０側の端部と連続し、伸縮可能な伸縮領域の第２領域Ｓ２、を備えている。
また、背側延出部４０Ｃも、ファスニングテープ４３が備えられる係止領域Ｋ、係止領域Ｋの物品本体部１０側の端部と連続し、伸縮しない非伸縮領域の第１領域Ｓ１、及び第１領域Ｓ１の物品本体部１０側の端部と連続し、伸縮可能な伸縮領域の第２領域Ｓ２、を備えている。
なお、本実施形態の第２領域Ｓ２は、その長手方向（前後方向）に沿って複数の糸ゴム等の伸縮部材３２及び４２が略平行に配されることによって、前後方向に伸縮可能となっているが、これ以外にも、例えば、切り込みによって前後方向に伸縮可能としても良い。或いは、ギャザーシート２０，２０を第２領域Ｓ２まで延出させ、このギャザーシート２０に配される弾性部材によって前後方向に伸縮可能としても良い。
また、第１領域Ｓ１及び第２領域Ｓ２の長さは、適宜設定可能である。また、本実施形態では、係止領域Ｋは、非伸縮領域となっている。
【００４８】
この吸収性物品４は、図１１に示すように、装着時には紙おむつ１の上端からその端部を引き出して外側に折り返し、パンツの外面にファスニングテープ３３、４３を止着するようになっている。
このとき、係止領域Ｋと第１領域Ｓ２とは、非伸縮であるのでこしを持つため、折り返しやすくすることができる。
【００４９】
以上のように、本実施形態の吸収性物品４によれば、第１実施形態のインナーパッド１と同様の効果が得られるのは勿論のこと、パンツの外面にファスニングテープ３３、４３を止着することができるため、吸収性物品４が重くなった場合のずれ落ちを防止することができる。
【００５０】
なお、上記第１〜第４実施形態においては、腹側延出部及び背側延出部のファスニングテープが設けられた領域（係止領域Ｋ）には、伸縮部材を設けない構成を例示して説明したが、伸縮部材を配する構成とすることもできる。
【００５１】
また、上記第１〜第４実施形態においては、腹側延出部及び背側延出部の２つの不織布により物品本体部の端部を狭持して固定する構成を例示して説明したが、図１２に示すように、腹側延出部及び背側延出部を形成する２枚の不織布を、表面シート１１及び裏面シート１２と連続する同一のシート材で形成することもできる。この場合、吸収体１３と、ファスニングテープ３３、４３との間に、伸縮部材３２、４２を前後方向に沿って複数配置すれば良い。
【００５２】
また、上記第１〜第４実施形態においては、インナーパッド１をパンツ型の紙おむつ１００に装着する場合を例示して説明したが、下着（ぱんつなど）に直接装着することとしても良いし、展開式の紙おむつに装着することとしても良い。
【符号の説明】
【００５３】
１  インナーパッド（吸収性物品）
１０  物品本体部
１１  表面シート
１２  裏面シート
１３  吸収体
１４  腹側部
１５  背側部
１６  股下部
１７  脚周り部
２０，２０  ギャザーシート
２１  弾性部材
３０  腹側延出部
３１ａ，３１ｂ  不織布
３２  伸縮部材
３３  ファスニングテープ（係止部）
４０  背側延出部
４１ａ，４１ｂ  不織布
４２  伸縮部材
４３  ファスニングテープ（係止部）
１００  紙おむつ（装着物）
【図１】
0005590939.tif 000002
【図２】
0005590939.tif 000003
【図３】
0005590939.tif 000004
【図４】
0005590939.tif 000005
【図５】
0005590939.tif 000006
【図６】
0005590939.tif 000007
【図７】
0005590939.tif 000008
【図８】
0005590939.tif 000009
【図９】
0005590939.tif 000010
【図１０】
0005590939.tif 000011
【図１１】
0005590939.tif 000012
【図１２】
0005590939.tif 000013